(57)【要約】【課題】興趣に富む発光演出を実現し得る遊技機を提供する。【解決手段】遊技盤２０の前側に、パチンコ球が流下可能な遊技領域２３が形成される。遊技盤２０に、開口部３４ａを介して表示装置１７の表示部１７ａを前側に臨ませる枠状装飾体３４が配設される。枠状装飾体３４の内側下縁に、遊技領域２３に開口する受入口部４１ａから飛び込んだパチンコ球を一時的に受け入れて該パチンコ球の流下方向を振り分けるステージ４１が設けられる。枠状装飾体３４の開口部内に、外周端面から内部に導入された光が反射することで前側から視認可能となる図柄が形成された透明パネル５７が配設される。透明パネル５７は、受入口部４１ａの上端から上方に延在して、受入口部４１ａからステージ４１内に飛び込んだパチンコ球がステージ４１より後方へ移動するのを規制する。【選択図】図２
2016202333.tif 000002
【特許請求の範囲】
【請求項１】
遊技球が流下可能な遊技領域が前面側に形成された遊技盤と、該遊技盤に配設され、開口部を介して表示装置の表示部を前側に臨ませる枠状装飾体とを備える遊技機において、
前記枠状装飾体の内側下縁に設けられ、前記遊技領域に開口する受入口部から飛び込んだ遊技球を一時的に受け入れて該遊技球の流下方向を振り分けるステージと、
前記枠状装飾体の開口部内に配設されると共に、外周端面から内部に導入された光が反射することで前側から視認可能となる図柄が形成された透明パネルと、
前記透明パネルの外周端面へ向けて光を照射可能な発光手段とを備え、
前記透明パネルは、前記受入口部の上端から上方に延在して、該受入口部からステージ内に飛び込んだ遊技球がステージより後方へ移動するのを規制するよう構成された
ことを特徴とする遊技機。
【請求項２】
前記ステージは、
左右方向に延在して遊技球が左右方向に移動可能な球転動部と、
前記球転動部の後端から上方に延在し、球転動部上を移動する遊技球の後方への移動を規制する後壁部と、
前記後壁部の上端から前方に延在し、前記球転動部との間に前記受入口部を画成する天井壁とを備え、
前記透明パネルは、前記天井壁の上端から上方に延在するよう構成された請求項１記載の遊技機。
【請求項３】
前記透明パネルは、前記枠状装飾体の開口部を介して後方が視認可能な領域の全体を塞ぐように該開口部内に設けられる請求項１または２記載の遊技機。
【請求項４】
前記透明パネルは、前面が前記天井壁の前端に略揃う位置に位置決めされるように、前記枠状装飾体に対して固定部材を介して裏側から固定されるよう構成された請求項１〜３の何れか一項に記載の遊技機。
【請求項５】
前記枠状装飾体における左右何れか一方の側縁部内側に設けられた第１被固定部と、
前記枠状装飾体における前記第１被固定部が設けられる側とは反対の側縁部に設けられ、遊技球が通入可能な球入口が前記遊技盤の前面より前側で前記遊技領域内に開口すると共に、該球入口から通入した遊技球を遊技盤の前面より後側に偏倚した位置を移動するように案内する球通路部の球出口が前記ステージに連通する球導入部と、
前記球導入部の球通路部における前記第１被固定部より後側に位置する裏面に設けられた第２被固定部とを備え、
前記枠状装飾体に透明パネルを固定する前記固定部材は、前記第１被固定部に着脱自在に固定される第１固定部材と、前記第２被固定部に着脱自在に固定される第２固定部材とからなり、
前記第１固定部材および第２固定部材は、対応する被固定部に固定した際に前記透明パネルの前面が前記天井壁の前端に略揃う位置に位置決めされるように前後方向の長さ寸法が異なるように設定されている請求項４記載の遊技機。
【請求項６】
前記透明パネルの端縁部に配設され、前記発光手段を透明パネルの外周端面に向けて光を照射する姿勢で保持する保持部材を備え、該保持部材に、前記枠状装飾体に対する固定部が設けられている請求項１〜５の何れか一項に記載の遊技機。
【発明の詳細な説明】
【技術分野】
【０００１】
本発明は、端面から照射された光によって図柄を発光表示することができる透明パネルを備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の開口部を介して複数の図柄を変動表示する液晶式やドラム式等の表示装置(表示手段)を後方から臨ませると共に、該遊技盤における枠状装飾体の下方位置に、パチンコ球(遊技球)の入賞により表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記表示装置での図柄変動演出に伴うリーチ演出等の各種の遊技演出がなされ、該表示装置に図柄が所定の組み合わせで停止することにより所謂大当りが発生し、前記特別入賞装置が開放して多数の賞球を獲得し得るよう構成される。
【０００３】
このようなパチンコ機では、ＬＥＤ等の発光体を備えた発光演出装置が配設されて、前記表示装置の図柄変動演出に合わせて発光体を点灯・点滅等することにより演出効果の向上を図ることが行われている。このような発光演出装置として、凹凸により文字等の図柄が形成された乱反射領域を有する透明パネルと、該透明パネルの端面に対向するように配設した基板と、透明パネルの端面に整列するように基板に配設された複数の発光体とを備え、該発光体を点灯することで透明パネルの端面から導入された光を乱反射領域で乱反射させることで、透明パネルに形成した図柄が発光表示されるよう構成された発光演出装置が提案されている(特許文献１参照)。
【先行技術文献】
【特許文献】
【０００４】
【特許文献１】特開２０１２−２４５１２４号公報
【発明の概要】
【発明が解決しようとする課題】
【０００５】
特許文献１に開示のパチンコ機では、枠状装飾体の外側に画成される遊技領域に発光演出装置を配設しているため、該発光演出装置の発光演出による効果は限定的であり、更なる演出効果が期待できる構成が求められている。
【０００６】
すなわち本発明は、従来の技術に係る遊技機に内在する前記課題に鑑み、これを好適に解決するべく提案されたものであって、興趣に富む発光演出を実現し得る遊技機を提供することを目的とする。
【課題を解決するための手段】
【０００７】
前記課題を解決し、所期の目的を達成するため、本願の請求項１に記載の発明は、
遊技球が流下可能な遊技領域(23)が前面側に形成された遊技盤(20)と、該遊技盤(20)に配設され、開口部(34a)を介して表示装置(17)の表示部(17a)を前側に臨ませる枠状装飾体(34)とを備える遊技機において、
前記枠状装飾体(34)の内側下縁に設けられ、前記遊技領域(23)に開口する受入口部(41a)から飛び込んだ遊技球を一時的に受け入れて該遊技球の流下方向を振り分けるステージ(41)と、
前記枠状装飾体(34)の開口部(34a)内に配設されると共に、外周端面から内部に導入された光が反射することで前側から視認可能となる図柄が形成された透明パネル(57)と、
前記透明パネル(57)の外周端面へ向けて光を照射可能な発光手段(79)とを備え、
前記透明パネル(57)は、前記受入口部(41a)の上端から上方に延在して、該受入口部(41a)からステージ(41)内に飛び込んだ遊技球がステージ(41)より後方へ移動するのを規制するよう構成されたことを要旨とする。
【０００８】
請求項１の発明によれば、枠状装飾体の開口部内で興趣のある発光演出を行うことができる。また、発光演出を行う透明パネルによって遊技球がステージの後方へ移動するのを防止することができ、別途専用の部材を設ける必要はなく、構成を簡略化し得ると共にコストを低減し得る。
【０００９】
請求項２に記載の発明では、
前記ステージ(41)は、
左右方向に延在して遊技球が左右方向に移動可能な球転動部(42aと、
前記球転動部(42a)の後端から上方に延在し、球転動部(42a)上を移動する遊技球の後方への移動を規制する後壁部(47a)と、
前記後壁部(47a)の上端から前方に延在し、前記球転動部(42a)との間に前記受入口部(41a)を画成する天井壁(43b)とを備え、
前記透明パネル(57)は、前記天井壁(43b)の上端から上方に延在するよう構成されたことを要旨とする。
これによれば、天井壁より高く跳ねた遊技球が後方へ移動するのを透明パネルによって防止することができる。
【００１０】
請求項３に記載の発明では、
前記透明パネル(57)は、前記枠状装飾体(34)の開口部(34a)を介して後方が視認可能な領域の全体を塞ぐように該開口部(34a)内に設けられることを要旨とする。
これによれば、枠状装飾体の開口部内においてインパクトのある発光演出を行うことができ、演出効果を向上し得る。
【００１１】
請求項４に記載の発明では、
前記透明パネル(57)は、前面が前記天井壁(43b)の前端に略揃う位置に位置決めされるように、前記枠状装飾体(34)に対して固定部材(67,68)を介して裏側から固定されるよう構成されたことを要旨とする。
これによれば、天井壁の上面に遊技球が載ってしまうのを防止することができる。
【００１２】
請求項５に記載の発明では、
前記枠状装飾体(34)における左右何れか一方の側縁部内側に設けられた第１被固定部(48)と、
前記枠状装飾体(34)における前記第１被固定部(48)が設けられる側とは反対の側縁部に設けられ、遊技球が通入可能な球入口(45a)が前記遊技盤(20)の前面より前側で前記遊技領域(23)内に開口すると共に、該球入口(45a)から通入した遊技球を遊技盤(20)の前面より後側に偏倚した位置を移動するように案内する球通路部(46c)の球出口(46b)が前記ステージ(41)に連通する球導入部(44)と、
前記球導入部(44)の球通路部(46c)における前記第１被固定部(48)より後側に位置する裏面に設けられた第２被固定部(50)とを備え、
前記枠状装飾体(34)に透明パネル(57)を固定する前記固定部材(67,68)は、前記第１被固定部(48)に着脱自在に固定される第１固定部材(67)と、前記第２被固定部(50)に着脱自在に固定される第２固定部材(68)とからなり、
前記第１固定部材(67)および第２固定部材(68)は、対応する被固定部(48,50)に固定した際に前記透明パネル(57)の前面が前記天井壁(43b)の前端に略揃う位置に位置決めされるように前後方向の長さ寸法が異なるように設定されていることを要旨とする。
これによれば、透明パネルを枠状装飾体に固定するための固定部材によって、枠状部材に設けられた被固定部の前後位置の違いに対応し得るようにしたので、枠状装飾体に突出長の異なる被固定部を設ける必要はなく、コスト低減に寄与し得る。
【００１３】
請求項６に記載の発明では、
前記透明パネル(57)の端縁部に配設され、前記発光手段(79)を透明パネル(57)の外周端面に向けて光を照射する姿勢で保持する保持部材(59)を備え、該保持部材(59)に、前記枠状装飾体(34)に対する固定部(66)が設けられていることを要旨とする。
これによれば、透明パネルに配設されて発光手段を保持する保持部材に設けた固定部を枠状装飾体に固定するようにしたので、発光手段と透明パネルとの関係を一定に保持することができ、該透明パネルの好適な発光演出が図られる。
【発明の効果】
【００１４】
本発明に係る遊技機によれば、ステージの後方へ遊技球が移動するのを規制し得ると共に、興趣のある発光演出を行うことができる。
【図面の簡単な説明】
【００１５】
【図１】本発明の実施例に係るパチンコ機を示す正面図である。
【図２】実施例に係る遊技盤を示す概略正面図である。
【図３】実施例に係る枠状装飾体、パネル発光装置、遊技盤および設置部材を分解して前側から視た概略斜視図である。
【図４】実施例に係るパネル発光装置を配設した枠状装飾体を後側から視た概略斜視図である。
【図５】実施例に係る枠状装飾体の要部縦断正面図である。
【図６】実施例に係る枠状装飾体からステージおよび球導入部を分解して後側から視た概略斜視図である。
【図７】実施例に係るパネル発光装置を分解して前側から視た概略斜視図である。
【図８】実施例に係るパネル発光装置を分解して後側から視た概略斜視図である。
【図９】実施例に係る第１固定部材を分解して示す要部概略斜視図であって、(ａ)は前側から視た図であり、(ｂ)は後側から視た図である。
【図１０】実施例に係る第２固定部材を分解して示す要部概略斜視図であって、(ａ)は前側から視た図であり、(ｂ)は後側から視た図である。
【図１１】実施例に係る枠状装飾体の要部横断平面図である。
【図１２】図１１における第１固定部材の配設部位を示す拡大図である。
【図１３】実施例に係る枠状装飾体の第２被固定部と透明パネルの第２固定部材との固定部位を示す拡大断面図である。
【図１４】実施例に係る枠状装飾体を配設した遊技盤を縦断して示す要部左側面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、複数種類の図柄を変動表示可能な表示装置１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１８】
図１に示す如く、前記前枠１３には、窓部１３ａを囲繞するようランプ装置(発光手段)１８が配設されると共に、前枠１３の上部位置に、音声や効果音を出力可能なスピーカ(音出力手段)１９が配設されている。すなわち、前記ランプ装置１８に設けられたＬＥＤ等の発光体(図示せず)を点灯・点滅したり、前記スピーカ１９から適宜の音声を出力することで、前記表示装置１７で行われる各種の表示演出(図柄変動演出)に合わせて光による演出や音による演出を行い得るよう構成されている。また、前記上球受け皿１４は、前記前枠１３と別体に形成して中枠１２に対して開閉可能に組み付けるようにしてもよい。
【００１９】
また、前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで前記打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、前記遊技盤２０に形成された第１球流下経路２３ａ(後述)をパチンコ球が流下する所謂「左打ち」と、該遊技盤２０に形成された第２球流下経路２３ｂ(後述)をパチンコ球が流下する所謂「右打ち(ゴム打ち)」とを打ち分け得るようになっている。
【００２０】
(遊技盤２０について)
実施例の前記遊技盤２０は、アクリルやポリカーボネート等の光透過性の合成樹脂材から所定板厚の略矩形状に形成された平板状の透明板(遊技領域形成部材)であって、該遊技盤２０の裏側に前記表示装置１７が着脱自在に組み付けられている。遊技盤２０の前側には、図２に示す如く、前面(盤面)に配設された略円形状の案内レール２１によりパチンコ球が流下可能(移動可能)な遊技領域２３が画成されて、前記打球発射装置から発射されたパチンコ球が当該遊技領域２３内に打ち出されることで遊技が行われるようになっている。また、遊技盤２０には、該遊技盤２０との間に収容空間を画成する設置部材(収容空間画成部材)２２が配設されており、収容空間には、発光により演出を行う発光演出装置や、可動体の動作により演出を行う可動演出装置等の各種演出手段が設置されている。なお、前記表示装置１７は、設置部材２２の裏側に取り付けられて、後述するように設置部材２２に設けた開口部(可視部)２２ａおよび枠状装飾体３４(後述)の開口部３４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００２１】
前記案内レール２１は、図２,図３に示す如く、前記遊技盤２０の左下部から右上部に至るよう左方向に膨出する円弧状に形成された外レール２４と、遊技盤２０の右上部、右下部および左上部に至るよう右方向に膨出する円弧状に形成された内レール２５,２６とから構成されている。前記内レール２５,２６は、外レール２４の右上端部に連接して遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２１ａが画成されている。ここで、前記内レールを構成するレール部材２６は、前記遊技盤２０の左上部に開放端を臨ませて外レール２４との間に遊技領域２３に開口する打出し口２１ｂを画成するよう構成されて、前記打球発射装置から発射されたパチンコ球が発射通路２１ａの下方開口から飛翔して、レール部材２６の開放端側の打出し口２１ｂから遊技領域２３内に打ち出されるようになっている。
【００２２】
図２に示す如く、前記外レール２４と盤面飾り部材２５との接続位置は、外レール２４および盤面飾り部材２５の曲率の相違から段差が形成されており、該段差部分に緩衝ゴム２７が配設されている。すなわち、前記外レール２４の終端位置に臨むように緩衝ゴム２７が配設されて、前記打球発射装置から発射されて外レール２４に沿って終端位置まで移動して緩衝ゴム２７に当接したパチンコ球を減勢し得るようになっている。なお、前記緩衝ゴム２７は、前記第２球流下経路２３ｂに位置している。
【００２３】
前記遊技盤２０には、前後に貫通する装着口が前記遊技領域２３内に複数開設されて、各装着口に対して各種遊技構成部品が前側から取り付けられると共に、遊技領域２３の最下部位置には、該遊技領域２３に開口するアウト口２８が開設されており、遊技領域２３に打ち出されてアウト口２８に入球したパチンコ球が機外に排出されるよう構成される。また、前記遊技盤２０には、前記遊技領域２３内に多数の遊技釘２９が設けられると共に、後述する枠状装飾体３４の左側方に、遊技領域２３(第１球流下経路２３ａ)を流下するパチンコ球の接触に伴って回転する回転案内部材３０が回転自在に支持されており、遊技釘２９や回転案内部材３０との接触によりパチンコ球の流下方向が不規則に変化するよう構成されている。前記回転案内部材３０は、所謂「風車」とも称される部材であって、該回転案内部材３０の回転に伴ってパチンコ球を弾くように左右方向へ放出する部材である。なお、前記装着口の形成数は、遊技盤２０に対して取り付けられる各種遊技構成部品の個数や配設位置等により必要に応じて適宜決定される。
【００２４】
実施例の前記遊技盤２０には、図３に示す如く、前記案内レール２１で囲まれた遊技領域２３の略中央の大部分が開口する装着口３３に、前後に開口する開口部３４ａが形成された枠状装飾体３４が取り付けられ、該枠状装飾体３４の開口部３４ａを介して表示装置１７の表示部１７ａが遊技盤２０の前面側に臨むよう構成されている。また、遊技盤２０には、枠状装飾体３４の外側における遊技領域２３に臨む位置に、該遊技領域２３を流下するパチンコ球が入賞可能な始動入賞部３１が配設されており、始動入賞部３１の始動入賞口へのパチンコ球の入賞を契機として、所定数のパチンコ球が賞球として前記上下の球受け皿１４,１５に払い出されると共に前記表示装置１７の表示部１７ａにおいて図柄変動演出が開始されるようになっている。また、枠状装飾体３４に、特別入賞部３２が配設されている。そして、表示装置１７での図柄変動演出の結果、該表示装置１７の表示部１７ａに所定の図柄組み合わせ(例えば同一図柄の三つ揃い等)で図柄が停止表示されることで所謂「大当り」が発生し、これにより特別入賞部３２へのパチンコ球の入賞が許容されて多数の賞球を獲得し得るようになっている。また、遊技盤２０には、前記始動入賞部３１より左側の遊技領域２３(第１球流下経路２３ａ)に臨む位置に、複数の普通入賞部３９が設けられており、該普通入賞部３９の入賞口へのパチンコ球の入賞を契機として、所定数のパチンコ球が賞球として前記上下の球受け皿１４,１５に払い出されるよう構成される。
【００２５】
(設置部材２２について)
前記設置部材２２は、図３に示す如く、前記遊技盤２０の外郭形状より僅かに小さな形状に形成された略矩形状の背面板と、該背面板の外周縁部から前方に突出する画壁部２２ｂとから前方に開口した箱状に形成されて、該画壁部２２ｂの開口前端部を遊技盤２０の裏面に当接させた状態で、当該遊技盤２０と設置部材２２とがネジにより固定される。また、前記設置部材２２の背面板には、前記枠状装飾体３４の開口部３４ａと前後に整列する位置に、略矩形状の開口部２２ａが前後に開口するよう開設されると共に、該背面板の裏側に前記表示装置１７が着脱自在に取り付けられて、該開口部２２ａを介して表示装置１７の表示部１７ａが遊技盤２０の前側に臨むようになっている。
【００２６】
(枠状装飾体３４について)
前記遊技盤２０に配設される前記枠状装飾体３４は、図２,図３,図４に示す如く、前記遊技盤２０に開設された前記装着口３３の内側に沿って延在する環状に形成された枠状基部３５と、該枠状基部３５に設けられて前記遊技盤２０の前面より前方に突出し、前記遊技領域２３と表示装置１７の表示部１７ａを区切って該遊技領域２３の内周を画成する庇状部３６と、該庇状部３６の後縁から外方に延出する薄板状の台板部３７とを備える。そして、前記枠状基部３５を装着口３３に挿入すると共に台板部３７を遊技盤２０の前面に当接した状態で、該台板部３７をネジ等の固定手段で遊技盤２０に固定することで、枠状装飾体３４が遊技盤２０に取り付けられる。ここで、前記庇状部３６は、図２に示す如く、前記枠状装飾体３４(枠状基部３５)の左側縁の略中間位置から上縁および右下縁に亘って連続して延在するように設けられており、開口部３４ａ側、すなわち表示装置１７における表示部１７ａの前面側を横切ってパチンコ球が流下(落下)するのを規制している。
【００２７】
前記庇状部３６は、図２に示す如く、最上部位置から左右方向に下方傾斜するよう形成されて、遊技領域２３に打ち出されたパチンコ球が庇状部３６上で滞ることなく前記枠状装飾体３４の左側方または右側方へ誘導されるよう形成されている。前記開口部３４ａの上方に臨む庇状部３６は、左右方向の所定領域が上側に凸となる略弧状に形成された転動面３６ａを有しており、該転動面３６ａの頂部は遊技盤２０の左右方向の略中央に位置している。また、庇状部３６には、転動面３６ａにおける左端部(第１球流下経路２３ａ側の端部)に接続して、該転動面３６ａから所定高さで下がる段部３６ｂが設けられている。そして、実施例では、庇状部３６と案内レール２１とで画成される遊技領域２３において、前記転動面３６ａの左端部を境界として、該左端部より左側が第１球流下経路２３ａとされ、該左端部より右側が第２球流下経路２３ｂとされ、前記案内レール２１の打出し口２１ｂは、第１球流下経路２３ａの上方で開口している。また、転動面３６ａは、前記外レール２４から下方(内側)に離間して対向するように位置し、第２球流下経路２３ｂを画成する転動面３６ａと外レール２４との間は、パチンコ球１個分の幅寸法より大きく、かつ遊技球２個分の幅寸法より小さな幅寸法に設定されている。
【００２８】
すなわち、前記遊技盤２０に画成された遊技領域２３には、前記枠状装飾体３４における庇状部３６の左側方をパチンコ球が流下する第１球流下経路２３ａ、および該枠状装飾体３４における庇状部３６の上方から右側方をパチンコ球が流下する第２球流下経路２３ｂが設けられており、前記庇状部３６の段部３６ｂに当ったパチンコ球は第１球流下経路２３ａを流下し、該庇状部３６の転動面３６ａに到来したパチンコ球は第２球流下経路２３ｂを流下するようになっている。換言すると、前記打球発射装置により遊技領域２３内に発射されたパチンコ球は、到達位置に応じて前記枠状装飾体３４の庇状部３６およびレール部材２６(内レール２６)の間に形成される第１球流下経路２３ａか、或いは枠状装飾体３４の庇状部３６、外レール２４および盤面飾り部材２５(内レール２５)の間に形成される第２球流下経路２３ｂの何れかを流下する。そして、実施例に係るパチンコ機１０では、前記第１球流下経路２３ａをパチンコ球が流下する場合(左打ちした場合)に、パチンコ球が第２球流下経路２３ｂを流下する場合に較べて前記始動入賞部３１にパチンコ球が入賞する可能性が高くなるよう構成されると共に、該第２球流下経路２３ｂをパチンコ球が流下する場合(右打ちの場合)に、パチンコ球が第１球流下経路２３ａを流下する場合に較べて前記特別入賞部３２へパチンコ球が入賞する可能性が高くなるよう構成されている。
【００２９】
前記庇状部３６に設けた段部３６ｂは、図２に示す如く、前記案内レール２１に設けた打出し口２１ｂの右上方に位置して、該打出し口２１ｂから遊技領域２３に打ち出されたパチンコ球が当り得るよう構成される。そして、一般的に「左打ち」を行う遊技者は、打球発射装置から打ち出されたパチンコ球が段部３６ｂに当るように、前記操作ハンドル１６の操作レバー１６ａの回動量を調節している。
【００３０】
前記枠状装飾体３４には、図６に示す如く、前記枠状基部３５における下側の内側面に、開口部３４ａ内側に張り出す支持縁部４０が設けられ、該支持縁部４０に、ステージ４１および球導入部４４が配設されている。ここで、図３に示す如く、前記庇状部３６は、枠状装飾体３４における左側の支持縁部４０に配設された球導入部４４の上端から、該枠状装飾体３４の支持縁部４０に配設されたステージ４１の右端までの領域が切欠かれて、当該領域においては遊技領域２３から開口部３４ａ内にパチンコ球が飛び込み得るよう構成される。そして、庇状部３６が切欠かれている領域(庇状部３６が形成されていない領域)に位置する前記支持縁部４０は、前記装着口３３の外側まで延出して、当該支持縁部４０の端縁部が遊技盤２０の前面に当接するよう構成されている(図１４参照)。言い替えると、庇状部３６が切欠かれている領域に位置する支持縁部４０の端縁部が、前記台板部３７を構成するようになっている。また、支持縁部４０における前側に露出する前面には、所定の意匠が施されて装飾効果を向上し得るよう構成される。
【００３１】
(ステージ４１について)
前記ステージ４１は、前記枠状装飾体３４の内側下縁に設けられて、前記遊技領域２３に開口する後述する受入口部４１ａから飛び込んだパチンコ球を一時的に受け入れて、該パチンコ球の流下方向を振り分けるように機能するものであって、実施例のステージ４１は、図６に示す如く、前記支持縁部４０の後側に配設される複数の部材４２,４３から構成される。実施例では、左右方向に所定長さで延在して、パチンコ球が左右方向に移動可能な球転動部４２ａが上面に形成された第１ステージ部材４２と、前記支持縁部４０に後側から配設されて球転動部４２ａ上を移動するパチンコ球の後方および上方への移動を規制する第２ステージ部材４３とからステージ４１が構成されている。第２ステージ部材４３は、図１４,図５に示す如く、第１ステージ部材４２における球転動部４２ａの後端から上方に延在する後壁部４３ａと、該後壁部４３ａの上端から前方に延在する天井壁４３ｂとを備え、球転動部４２ａと天井壁４３ｂとの間に、前方(遊技領域２３)に開口する受入口部４１ａが形成されて、遊技領域２３のパチンコ球が当該受入口部４１ａから球転動部４２ａ(ステージ４１)に飛び込み得るよう構成される。そして、前記後壁部４３ａが、球転動部４２ａ上を移動するパチンコ球の後方への移動を規制すると共に、前記天井壁４３ｂが、球転動部４２ａに飛び込んだパチンコ球が該球転動部４２ａ上で跳ねた際に後壁部４３ａを越えて後方(表示部１７ａ側)へ移動するのを規制するべく機能する。なお、前記支持縁部４０には、球転動部４２ａの前側に臨む位置に、左右方向に所定長さに亘って開口部３４ａ内側に延出しない排出部４０ａが形成されており、球転動部４２ａ上を左右に移動したパチンコ球が、受入口部４１ａおよび排出部４０ａを介して前記始動入賞部３１が配設されている遊技領域２３に排出されるようになっている。なお、実施例のパチンコ機１０では、ステージ４１から遊技領域２３に排出されるパチンコ球の始動入賞部３１への入賞率が、ステージ４１に通入することなく遊技領域２３(第１球流下経路２３ａ)を流下するパチンコ球の始動入賞部３１への入賞率より高くなるように、始動入賞部３１と排出部４０ａとの位置関係が設定されている。
【００３２】
(球導入部４４について)
前記球導入部４４は、図６に示す如く、前記支持縁部４０の前側および後側に配設される複数の部材４５,４６,４７から構成される。実施例では、支持縁部４０における左端部の前側に配設されて遊技領域２３に突出する第１導入部材４５と、該支持縁部４０の後側に配設されて後方に開口する第２導入部材４６と、該支持縁部４０の後側に配設されて第２導入部材４６の後部開口を塞ぐ第３導入部材４７とから構成されている。実施例では、第３導入部材４７が前記第２ステージ部材４２の左端部に一体に形成されているが、該第３導入部材４７を、第２ステージ部材４２とは別体で構成したものであってもよい。
【００３３】
前記第１導入部材４５は、図６に示す如く、後側に開口する筒状の部材であって、該第１導入部材４５には、当該第１導入部材４５を支持縁部４０の前側に取り付けた状態で、遊技盤２０の前面より前側で前記遊技領域２３(第１球流下経路２３ａ)に開口して、該遊技領域２３(第１球流下経路２３ａ)を流下するパチンコ球が通入可能な球入口４５ａが形成されている(図４参照)。前記第２導入部材４６は、図６に示す如く、後方に開口する樋状の部材であって、該第２導入部材４６を支持縁部４０の後側に取り付けた状態で第１導入部材４５の後側に重なる位置に、該第１導入部材４５に連通する通口４６ａが形成されると共に、前記ステージ４１の左端部に対向する端部に、ステージ側に開口する球出口４６ａが形成されている(図５参照)。また、前記第３導入部材４７は、図６に示す如く、前記第２導入部材４６の形状に対応する形状に形成された後壁部４７ａと、該後壁部４７ａにおける開口部３４ａ側に臨む端縁から前方に延在する天井壁４７ｂとを備え、当該第３導入部材４７を前記支持縁部４０の後側に配設した状態で、後壁部４７ａによって第２導入部材４６の後部開口を塞ぐことで、第２導入部材４６と第３導入部材４７とによってパチンコ球が通過可能な球通路部４６ｃが画成されるようになっている。この球通路部４６ｃは、第２導入部材４６の通口４６ａを介して第１導入部材４５の球入口４５ａに連通し、該球通路部４６ｃの下流端の球出口４６ｂがステージ４１における前記球転動部４２ａの上側で開口するよう構成される。すなわち、前記遊技盤２０に配設された前記枠状装飾体３４では、前記遊技領域２３から球入口４５ａに通入したパチンコ球は、遊技盤２０の前面より後側に偏倚した位置を球通路部４６ｃに沿って移動した後に、該球通路部４６ｃの球出口４６ｂからステージ４１の球転動部４２ａ上に通出されるようになっている。
【００３４】
ここで、実施例では、前記第３導入部材４７は、前記第２ステージ部材４３と一体に形成されて、図５に示す如く、第２ステージ部材４３の天井壁４３ｂと第３導入部材４７の天井壁４７ｂとは隙間なく連設されて、これら天井壁４３ｂ,４７ｂによって前記枠状装飾体３４の開口部３４ａの一部が画成されるようになっている。言い替えると、前記枠状装飾体３４に設けられた天井壁４３ｂ,４７ｂは、何れも開口部３４ａ(設置開口)を画成する部材であって、この開口画成部材４３ｂ,４７ｂの内側に近接して後述する透明パネル５７の外周端が位置することで、該透明パネル５７によって開口部４３ａ(設置開口)が塞がれるよう構成される。
【００３５】
(被固定部４８,５０について)
前記枠状装飾体３４には、前記ステージ４１より右側の支持縁部４０(左右方向の一方の側縁部内側)に、第１被固定部４８が設けられている。第１被固定部４８は、図１１,図１２に示す如く、後方に向けて突出するボスに、後方に向けてネジ孔４８ａを開口するよう形成した部分であって、該第１被固定部４８に、後述する透明パネル５７の第１固定部材６７がネジ止め固定されるよう構成される。なお、支持縁部４０には、図６に示す如く、第１被固定部４８に近接して後方に突出する位置決め突部４９が突設されており、該位置決め突部４９を介して前記第１固定部材６７が位置決めされるようになっている。また、枠状装飾体３４には、支持縁部４０における第１被固定部４８が設けられる部位の前側に装飾部品が配設されて、該第１被固定部４８と後述する第１固定部材６７との固定部位が前側から覆われて前側に露出しないよう構成されている。
【００３６】
前記枠状装飾体３４における第１被固定部４８が設けられる側とは左右方向の反対側の端縁部に設けられた前記球導入部４４における後壁部４７ａに、第２被固定部５０が設けられている。第２被固定部５０は、図６,図１３に示す如く、後壁部４７ａから後方に向けて突出するボスに、後方に向けてネジ孔５０ａを開口するよう形成した部分であって、該第２被固定部５０に、後述する透明パネル５７の第２固定部材６８がネジ止め固定されるよう構成される。なお、前記第３導入部材４７には、後壁部４７ａにおける天井壁４７ｂが延出する端縁側に、該端縁に沿って離間して一対の位置決め片５１,５１が突設されており、該位置決め片５１,５１を介して前記第２固定部材６８が位置決めされるようになっている。また、第２被固定部５０と後述する第２固定部材６８との固定部位は、球導入部４４(具体的には第２導入部材４６)によって前側から覆われて前側に露出しないよう構成されている。
【００３７】
ここで、前記遊技盤２０には、図２に示す如く、前記始動入賞部３１の左側の第１球流下経路２３ａにおいて、前記回転案内部材３０と始動入賞部３１との間に、該始動入賞部３１へ向けて下方傾斜する直線状に連続して前記遊技釘２９が設けられている。また、始動入賞部３１の右側の第２球流下経路２３ｂにおいて、前記枠状装飾体３４における庇状部３６が切欠かれている領域の右端に対応する位置から始動入賞部３１までの間に、該始動入賞部３１へ向けて下方傾斜する直線状に連続して前記遊技釘２９が設けられている。なお、以下の説明では、始動入賞部３１へ向けて下方傾斜する直線状に連続した遊技釘群を案内連釘５２と指称するものとする。また、実施例では、パチンコ球が通過可能な間隔で上下方向に離間して２段で案内連釘５２,５２が平行に設けられており、上段の案内連釘５２について上案内連釘５２と指称すると共に、下段の案内連釘５２について下案内連釘５２と指称して区別する場合がある。なお、各案内連釘５２,５２を構成する遊技釘２９は、適宜位置でパチンコ球が通過可能な隙間が空くよう設けられており、該案内連釘５２,５２上を移動するパチンコ球が前記普通入賞部３９やアウト口２８側へ流下し得るようになっている。
【００３８】
前記第１球流下経路２３ａおよび第２球流下経路２３ｂに設けられる各上案内連釘５２は、図２に示す如く、前記枠状装飾体３４における前記支持縁部４０に連設される台板部３７の端縁に近接した位置を、該端縁に沿って延在するように設けられている。具体的に上案内連釘５２は、台板部３７の端縁との間にパチンコ球１個分より小さい隙間で離間した位置を延在しており、上案内連釘５２上を流下するパチンコ球が台板部３７(支持縁部４０)の前面に接触するよう構成される。そして、遊技領域２３(第１球流下経路２３ａ,２３ｂ)を流下するパチンコ球が上案内連釘５２に接触して跳ね上がった際には、前記受入口部４１ａを介して前記ステージ４１内に容易に飛び込み得るよう構成される。
【００３９】
前記枠状装飾体３４には、図２,図４に示す如く、上部側の前記庇状部３６から内側に延在する取着部５３が設けられており、該取着部５３の前側に、パチンコ機１０のモチーフとなるロゴやキャラクタ等の意匠が施されて、内部に配設されたＬＥＤ等の発光体によって発光演出可能な電飾役物５４が配設されている。この電飾役物５４は、左右方向に横長に形成されて、該電飾役物５４によって、前記表示装置１７の表示部１７ａを前側に臨ませる開口部３４ａの上端縁が画成されている。また、取着部５３には、左右方向に離間して複数箇所(実施例では２箇所)に、後方へ向けて突出する上部被固定部５５,５５が設けられている(図８参照)。そして、前記枠状基部３５の開口内側において電飾役物５４の下側に画成される開口部３４ａを覆うパネル発光装置(発光演出装置)５６の上部が、複数の上部被固定部５５,５５を介して枠状装飾体３４に固定されるように構成される。実施例では、上部被固定部５５,５５は、取着部５３における電飾役物５４の裏側に重なる位置において左右方向に離間する２箇所に設けられて、電飾役物５４によってパネル発光装置５６の上部と上部被固定部５５,５５との固定箇所が隠れるよう構成される。各上部被固定部５５は円柱状に形成されると共に、後方に向けてネジ孔５５ａが開口するように形成されている。
【００４０】
(パネル発光装置５６について)
前記パネル発光装置５６は、図３に示す如く、前記設置部材２２における開口部２２ａの前方に位置する透明パネル５７を備えており、当該透明パネル５７が前記表示装置１７の表示部１７ａの前方に重なるように位置している。すなわち、表示装置１７の表示部１７ａは、前記パネル発光装置５６の透明パネル５７を介して遊技盤２０の前方から視認し得るようになっている。そして、パネル発光装置５６では、透明パネル５７を用いた発光演出を表示部１７ａの前側で行うことで演出の興趣を向上するよう構成されている。
【００４１】
前記パネル発光装置５６は、図４,図５に示す如く、前記表示装置１７の表示部１７ａの前方に重なるように前記枠状装飾体３４の開口内側に配置されると共に前側から後方を透視可能な透明な前記透明パネル５７と、該透明パネル５７の外周部(上部)に設けられ、当該透明パネル５７へ向けて光を照射する照明部５８とを備えており、当該照明部５８から透明パネル５７の外周面(外周端面)へ向けて照射された光により、前側から視認可能となる図柄が表示装置１７の表示部１７ａの前方に表示されるよう構成されている。すなわち、前記透明パネル５７は、前記遊技盤２０に形成された装着口３３の開口内側に位置するよう配設されると共に、当該装着口３３の内周面と透明パネル５７の外周面との間に照明部５８(後述する発光体基板７８)が配設されている。また、前記パネル発光装置５６は、前記枠状装飾体３４において前記電飾役物５４、ステージ４１、球導入部４４等の各種遊技構成部品を取り付けた状態で画成される開口領域(ステージ４１より上方の開口領域)の全体を塞ぐように構成されている。すなわち、前記枠状装飾体３４に形成された開口部３４ａは、パネル発光装置５６により全体が塞がれるよう構成されている。なお、前記枠状装飾体３４において、前記電飾役物５４、ステージ４１、球導入部４４等の各種遊技構成部品を取り付けた状態で画成される開口領域を、パネル発光装置５６の設置開口と称する場合がある。
【００４２】
(透明パネル５７について)
前記透明パネル５７は、図７,図８に示す如く、上端部が左右方向(照明部５８の発光体基板７８と平行な方向)に直線上に延在すると共に、前記枠状装飾体３４における設置開口に沿う外郭形状に形成された透明な平板状の部材であって、当該透明パネル５７の外周端が前記枠状基部３５の内周面および前記天井壁４３ｂ,４７ｂの上面(設置開口を画成する面)に略隙間なく対向するよう構成されている(図４,図５参照)。なお、透明パネル５７における左右方向に直線上に延在する外周端面について、以後、光導入端面５７ａと指称するものとする。
【００４３】
前記透明パネル５７は、パネル保持部材(保持部材)５９および固定部材６７,６８を介して前記枠状装飾体３４に対して後側から着脱可能に取り付けられるようになっている。そして、透明パネル５７を枠状装飾体３４における前記枠状基部３５の内側に取り付けた状態で、透明パネル５７が枠状装飾体３４の開口部３４ａの開口内側に位置するよう構成される。また、前記パネル保持部材５９には、前記照明部５８が着脱可能に取り付けられるよう構成されて、当該透明パネル５７を枠状装飾体３４に取り付けることで、パネル発光装置５６が枠状装飾体３４に配設されるようになっている。
【００４４】
ここで、前記透明パネル５７の裏面には、微小な凹凸を形成することで所要の図柄が描かれており、該透明パネル５７の外周端面から内部に入射した光が図柄を表わす微小凹凸部分で反射することで、該図柄が明輝されて前側から視認し得るよう構成される。この透明パネル５７の図柄は、透明パネル５７の透明性を損なわない程度の密度および大きさの凹凸により描かれており、該透明パネル５７の外周端面から内部に光が入射していない状態で前面側から殆ど視認し得ないようになっている。更に、透明パネル５７の後方に重なった前記表示装置１７の表示部１７ａの表示内容に前記透明パネル５７に描かれた図柄が紛れることで、遊技盤２０の前側から視認し難くなっている。また、透明パネル５７に対して前面および後面から照射される光は前記図柄を表す微小凹凸部分で殆ど反射することなく透過して、該図柄を前側から殆ど視認し得ないよう構成される。すなわち、透明パネル５７の図柄は、裏側に位置する前記表示装置１７の表示部１７ａの光が照射されたときには浮き出るように表示されることなく、前記照明部５８から照射された光が外周端面から内部に導入されたときに前側から視認可能となって浮き出るように表示される。なお、透明パネル５７に形成する図柄としては、パチンコ機１０のモチーフとなるキャラクターに関連する図柄や、一般的な幾何学模様、その他の模様であってもよく、また模様に限らず文字等であってもよい。
【００４５】
また、前記透明パネル５７に対する図柄の形成方法としては、レーザー彫刻方法等、各種の方法を用いることが可能である。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凹凸からなる図柄を表面に形成する方法を採用できる。また、フィルムの表面に、透明な紫外線硬化樹脂による転写用の凸模様と、その凸模様に施した転写用の印刷インク層とを形成し、凸模様の印刷インク層をキャビティに向けて配置した金型を用いてインモールド成形により透明パネルを成形し、得られた透明パネルからフィルムを剥離することで、紫外線硬化樹脂による印刷インク層の転写により図柄を表面に形成する方法も採用可能である。
【００４６】
(パネル保持部材５９について)
前記パネル保持部材５９は、図７,図８に示すように、前記枠状装飾体３４の開口部３４ａを横切るように左右方向に直線状に延在する前保持体６０および後保持体６１を備え、前記透明パネル５７における光導入端面５７ａ側の端縁部(実施例では上端縁部)を両保持体６０,６１で前後から覆うように挟んだ状態で、該透明パネル５７にパネル保持部材５９が取り付けられる。前保持体６０および後保持体６１は、何れも非光透過性に構成されて、外部の光が透明パネル５７の光導入端面５７ａに入射するのを防止するようになっている。
【００４７】
前記透明パネル５７の上端部には、図７,図８に示す如く、左右方向に所定長さで上方に延出する取付部５７ｂが設けられており、該取付部５７ｂの上端面が前記光導入端面５７ａとなっている。この取付部５７ｂには、光導入端面５７ａの延在方向(左右方向)に離間して前後に貫通する複数(実施例では２つ)の貫通孔５７ｃが形成されており、各貫通孔５７ｃに、前記パネル保持部材５９の後保持体６１に設けた後述する位置決め突部６４ａが挿通されるようになっている。なお、取付部５７ｂにおける左右の端部から対応する左右の貫通孔５７ｃ,５７ｃまでの離間間隔は異なるように設定されて、透明パネル５７の前後面を反転した状態では、後保持体６１に設けた位置決め突部６４ａの一方が透明パネル５７の板面に当接して貫通孔５７ｃには挿通不能となるよう構成されて、後保持体６１に対して透明パネル５７の前後面が逆向きで取り付けられることは防止されるようになっている。
【００４８】
(前保持体６０について)
前記前保持体６０は、図７,図８,図１４に示す如く、前記透明パネル５７における取付部５７ｂの前面(光導入端面５７ａの前側)全体を覆う前面被覆部６２と、該前面被覆部６２の上端部に連設されて前側に偏倚してから上方に延在するように形成されて前面被覆部６２の全長に亘って延在する前支持部６３とから断面がクランク形状をなすよう形成されている。前面被覆部６２には、前記取付部５７ｂに形成された各貫通孔５７ｃに対応する位置に、後保持体６１に設けた後述する位置決め突部６４ａを支持する受部６２ａが設けられている。また、前支持部６３には、後方に突出する支持突部６３ａが、該前支持部６３の略全長に亘って延在するように形成されており、該支持突部６３ａが、後述するレンズ部材８０の前面に当接するよう構成される。更に、前支持部６３の上端に、左右方向に離間して２つの突片６３ｂ,６３ｂが突設されると共に、該前支持部６３の上端には、両突片６３ｂ,６３ｂの間に臨む位置に、左右方向に離間して２つの位置決め片６３ｃ,６３ｃが設けられており、これら突片６３ｂ,６３ｂおよび位置決め片６３ｃ,６３ｃによって後述する発光体基板７８を位置決めするよう構成される。なお、位置決め片６３ｃは、前支持部６３の上面から上方に延出した後に後方に延出する逆Ｌ字状に形成されており、前記支持突部６３ａに載置された発光体基板７８の上面に位置決め片６３ｃの後方に延出する延出部が当接して、該発光体基板７８の上下方向の変位を規制するよう構成される。また、前記前保持体６０の前支持部６３には、当該前保持体６０を後保持体６１に固定するネジが前側から挿通される通孔６３ｄが、左右方向の両端部に夫々形成されている。
【００４９】
(後保持体６１について)
前記後保持体６１は、図７,図８,図１４に示す如く、前記前保持体６０における前面被覆部６２の後方に対向する横長矩形板状に形成されて透明パネル５７における取付部５７ｂの後面(光導入端面５７ａの後側)全体を覆う後面被覆部６４と、当該後面被覆部６４の上端部に連設されて後側に偏倚してから上方に延在するように形成されて後面被覆部６４の全長に亘って延在する後支持部６５とから断面がクランク形状をなすよう形成されている。後面被覆部６４には、前記取付部５７ｂに形成された各貫通孔５７ｃに対応する位置に、該貫通孔５７ｃに挿通可能な位置決め突部６４ａが前方に向けて突設されている。また、後保持体６１の後支持部６５には、左右方向の両端部にネジ孔６５ａが夫々形成されている。そして、前記透明パネル５７の各貫通孔５７ｃに後側から挿通されて前方に突出する各位置決め突部６４ａを、前記前保持体６０の対応する受部６２ａで支持した状態で、前保持体６０の通孔６３ｄに前側から挿通したネジを後保持体６１のネジ孔６５ａに螺挿することで、透明パネル５７を挟んで前後の保持体６０,６１が位置決め固定されるようになっている。
【００５０】
前記後面被覆部６４における前記前保持体６０の前支持部６３と対向する位置には、左右方向に離間する複数箇所に、前方に突出する規制突部６４ｂが、上下方向に延在するように形成されている。また、後保持体６１の左右両端部に、前方に延出する側壁６１ａが夫々形成されると共に、各側壁６１ａにおける後面被覆部６４と対応する位置の内側(他方の側壁６１ａを向く側)に、前記照明部５８における後述するレンズ部材８０の対応する位置決め部８０ｂが収容状態で支持される凹部６４ｃが前方および内側に開口するように設けられている。そして、レンズ部材８０の位置決め部８０ｂを対応する凹部６４ｃに収容すると共に、該レンズ部材８０の後面を規制突部６４ｂに当接した状態で、前記前保持体６０の支持突部６３ａをレンズ部材８０の前面に当接して該前保持体６０を後保持体６１にねじ止め固定することで、レンズ部材８０が前記透明パネル５７の光導入端面５７ａに対向するように位置決め保持されるよう構成される(図５,図１４参照)。
【００５１】
前記後保持体６１の各側壁６１ａにおける後支持部６５と対応する位置の内側に、前記照明部５８における後述する発光体基板７８の対応する位置決め端部７８ａが収容状態で支持される支持溝６５ｂが前方および内側に開口するように設けられている。また、後支持部６５には、図７に示す如く、左右方向に離間する複数箇所(実施例では２箇所)に、発光体基板７８の厚み寸法で上下方向に離間する一対の突片からなる挟持部６５ｃが設けられている。そして、発光体基板７８の位置決め端部７８ａを対応する支持溝６５ｂに収容状態で支持すると共に、該発光体基板７８の後端部を各挟持部６５ｃで挟持した状態で、前記前保持体６０の位置決め片６３ｃを発光体基板７８の前面および上面に当接して該前保持体６０を後保持体６１にネジ止め固定することで、発光体基板７８が前記レンズ部材８０の上面に対向するように位置決め保持されるよう構成される(図５,図１４参照)。
【００５２】
前記後保持体６１の後支持部６５には、図４,図５,図７,図８に示す如く、左右方向に離間する複数箇所(実施例では２箇所)に上部固定部(固定部)６６が設けられており、該上部固定部６６を前記枠状装飾体３４の前記上部被固定部５５に固定することで、前記パネル発光装置５６の上部側が枠状装飾体３４に取り付けられるよう構成される。前記上部被固定部５５は、前保持体６０との間に透明パネル５７を挟持した状態で、該前保持体６０の上端より上方に延出する部分であって、該上部固定部６６には、前側に開口する凹部６６ａが設けられると共に、該凹部６６ａの底側には前後に貫通する通孔が形成されている。そして、前記取着部５３の後方に突出する上部被固定部５５の後端を凹部６６ａに挿入した状態で、上部固定部６６の通孔に裏側から挿通したネジを上部被固定部５５のネジ孔５５ａに螺挿することで、パネル発光装置５６の上部側が枠状装飾体３４に位置決め固定されるようになっている。
【００５３】
(第１固定部材６７について)
前記透明パネル５７の外周縁には、前記枠状装飾体３４に設けられた２つの被固定部４８,５０と対応する位置に、当該被固定部４８,５０に着脱自在に固定される固定部材６７,６８が着脱自在に配設されている。実施例では、右側に配設される固定部材６７を第１固定部材６７と指称し、左側に配設される固定部材６７を第２固定部材６７と指称する。前記第１固定部材６７は、図９に示す如く、透明パネル５７の前面に当接する第１固定具６９と、透明パネル５７の後面に当接する第１支持具７０とからなり、該第１固定具６９と第１支持具７０とで透明パネル５７を前後から挟んだ状態で、該第１固定具６９と第１支持具７０とをネジ止め固定することで、第１固定部材６７が透明パネル５７に取り付けられるよう構成される。
【００５４】
前記第１固定部材６７と透明パネル５７との固定構造を具体的に説明する。前記透明パネル５７の右下部位置に、図７に示す如く、外形が角形形状に形成された第１取着部位７１が設けられると共に、該第１取着部位７１には前後方向に貫通する第１貫通孔７１ａが穿設されている。前記第１固定部材６７の第１固定具６９は、図９(ａ),(ｂ)に示す如く、平板状の前面壁６９ａと、該前面壁６９ａの右側縁および下縁から後方に延出する側壁６９ｂとを備えると共に、該前面壁６９ａには後方に突出する第１固定ボス６９ｃが設けられている。この第１固定ボス６９ｃには、後方に開口するネジ孔６９ｄが形成されている。そして、第１固定ボス６９ｃを第１取着部位７１の第１貫通孔７１ａに前側から挿通すると共に、側壁６９ｂを第１取着部位７１の外縁に沿わすことで(図５参照)、第１取着部位７１に対して第１固定具６９が位置決めされる。また、第１固定具６９における側壁６９ｂおよび第１固定ボス６９ｃの前面壁６９ａからの突出寸法は、前記透明パネル５７の厚み寸法より大きく設定されており、前面壁６９ａの後面を透明パネル５７(第１取着部位７１)の前面に当接した状態で、該側壁６９ｂおよび第１固定ボス６９ｃが透明パネル５７の後方に突出するよう構成される(図１２参照)。
【００５５】
前記第１固定部材６７の第１支持具７０は、図９に示す如く、矩形状の部材であって、該第１支持具７０には、前側に開口する凹部７０ａが設けられると共に、該凹部７０ａの底側には前後に貫通する通孔が形成されている。前記第１取着部位７１の前側に位置決めした第１固定具６９に対し、前記透明パルネ５７の後方に突出する側壁６９ｂに対応する側縁および下縁を当接すると共に該透明パネル５７の後方に突出する第１固定ボス６９ｃの後端を凹部７０ａに挿入した状態とすることで、透明パネル５７および第１固定具６９に対して第１支持具７０が位置決めされるよう構成される(図１２参照)。そして、第１支持具７０の通孔に裏側から挿通したネジを第１固定ボス６９ｃのネジ孔６９ｄに螺挿することで、透明パネル５７を第１固定具６９と第１支持具７０とで前後から挟持した状態で、該透明パネル５７に第１固定部材６７が位置決め固定される。
【００５６】
前記第１固定具６９には、透明パネル５７の外側方(右側方)に位置する側壁６９ｂの外側に、該側壁６９ｂの前後方向と同じ前後寸法で第１固定突部７２が設けられている。この第１固定突部７２には、前側に開口する凹部７２ａが設けられると共に、該凹部７２ａの底側には前後に貫通する通孔７２ｂが形成されている。また、第１固定具６９の前面壁６９ａには、前記第１固定ボス６９ｃに近接する位置に、前後方向に貫通する位置決め孔７３が穿設されている。そして、前記枠状装飾体３４の支持縁部４０に設けた第１被固定部４８の後端を第１固定突部７２の凹部７２ａに挿入すると共に、該支持縁部４０に設けた前記位置決め突部４９を位置決め孔７３に挿入した状態で、第１固定突部７２の通孔７２ｂに後側から挿通したネジを第１被固定部４８にネジ孔４８ａに螺挿することで、透明パネル５７の右下部が枠状装飾体３４に位置決め固定されるよう構成される。
【００５７】
(第２固定部材６８について)
前記第２固定部材６８は、図１０に示す如く、透明パネル５７の前面に当接する第２固定具７４と、透明パネル５７の後面に当接する第２支持具７５とからなり、該第２固定具７４と第２支持具７５とで透明パネル５７を前後から挟んだ状態で、該第２固定具７４と第２支持具７５とをネジ止め固定することで、第２固定部材６８が透明パネル５７に取り付けられるよう構成される。
【００５８】
前記第２固定部材６８と透明パネル５７との固定構造を具体的に説明する。図７に示す如く、前記透明パネル５７の左下部位置に第２取着部位７６が設けられ、該第２取着部位７６には、前後方向に貫通する２つの第２貫通孔７６ａ,７６ａが上下方向に離間して穿設されている。また、第２取着部位７６には、該第２取着部位７６の外周端部における両第２貫通孔７６ａ,７６ａの間に対応する位置に切欠部７６ｂが形成されている。前記第２固定部材６８の第２固定具７４は、図１０(ａ),(ｂ)に示す如く、平板状の前面壁７４ａに、後方に開口するネジ孔７４ｃが形成された２つの第２固定ボス７４ｂ,７４ｂが、第２取着部位７６の第２貫通孔７６ａ,７６ａと対応する位置において後方に突設されている。また、前面壁７４ａには、第２取着部位７６の切欠部７６ｂに嵌り込み可能な形状に形成されて後方に延出する位置規制部７４ｄが設けられている。そして、第２固定ボス７４ｂ,７４ｂを第２取着部位７６の第２貫通孔７６ａ,７６ａに前側から挿通すると共に、位置規制部７４ｄを第２取着部位７６の切欠部７６ｂに嵌めることで(図５参照)、第２取着部位７６に対して第２固定具７４が位置決めされる。また、第２固定具７４における第２固定ボス７４ｂ,７４ｂおよび位置規制部７４ｄの前面壁７４ａからの突出寸法は、前記透明パネル５７の厚み寸法より大きく設定されており、前面壁７４ａの後面を透明パネル５７(第２取着部位７６)の前面に当接した状態で、該第２固定ボス７４ｂ,７４ｂおよび位置規制部７４ｄが透明パネル５７の後方に突出するよう構成される。
【００５９】
前記第２固定部材６８の第２支持具７５には、図１０(ａ),(ｂ)に示す如く、第２取着部位７６に設けた第２貫通孔７６ａ,７６ａと対応する位置に、前側に開口する凹部７５ａが夫々設けられると共に、各凹部７５ａの底側には前後に貫通する通孔が形成されている。また、第２支持具７５には、第２取着部位７６に設けた切欠部７６ｂと対応する位置に、前記第２固定具７４の位置規制部７４ｄが嵌り込み可能な切欠部７５ｂが設けられている。そして、前記第２取着部位７６の前側に位置決めした第２固定具７４に対し、前記透明パルネ５７の後方に突出する位置規制部７４ｄを切欠部７５ｂに嵌め込むと共に、該透明パネル５７の後方に突出する第２固定ボス７４ｂ,７４ｂの後端を凹部７５ａ,７５ａに挿入した状態とすることで、透明パネル５７および第２固定具７４に対して第２支持具７５が位置決めされるよう構成される。そして、第２支持具７５の各通孔に裏側から挿通したネジを対応する第２固定ボス７４ｂのネジ孔７４ｃに螺挿することで、透明パネル５７を第２固定具７４と第２支持具７５とで前後から挟持した状態で、該透明パネル５７に第２固定部材６８が位置決め固定される。
【００６０】
前記第２固定具７４の位置規制部７４ｄにおける後端には、前記透明パネル５７の外側方に延在する第２固定突部７７が設けられている。この第２固定突部７７には、図１３に示す如く、前側に開口する凹部７７ａが設けられると共に、該凹部７７ａの底側には前後に貫通する通孔７７ｂが形成されている。そして、第２固定突部７７における位置規制部７４ｄとの連設部を、前記球導入部４４の後壁部４７ａに設けた一対の位置決め片５１,５１間に嵌め合わせると共に、該後壁部４７ａに設けた第２被固定部５０の後端を第２固定突部７７の凹部７７ａに挿入した状態で、第２固定突部７７の通孔７７ｂに後側から挿通したネジを第２被固定部５０にネジ孔５０ａに螺挿することで、透明パネル５７の左下部が枠状装飾体３４に位置決め固定されるよう構成される。
【００６１】
前記第１固定部材６７における第１固定突部７２と、前記第２固定部材６８における第２固定突部７７との透明パネル５７の裏面からの突出寸法(前後方向の長さ寸法)は異なるように設定されており、図１１に示す如く、第１固定突部７２を第１被固定部４８に固定すると共に、第２固定突部７７を第２被固定部５０に固定した状態で、前記透明パネル５７の前面は、前記ステージ４１および球導入部４４の天井壁４３ｂ,４７ｂの前端に略揃う位置に位置決めされるように構成される(図１４参照)。すなわち、透明パネル５７の前面にパチンコ球が当接した状態で、該パチンコ球が天井壁４３ｂ,４７ｂの上面に接触しないよう構成されて、前記遊技領域２３を流下するパチンコ球が遊技釘２９(上案内連釘５２)で跳ねて枠状装飾体３４の開口部３４ａ内に飛び込んだとしても、該パチンコ球が前記表示装置１７の表示部１７ａ側に入り込むのを防止すると共に、天井壁４３ｂ,４７ｂの上にパチンコ球が乗って停留してしまうことがないようになっている。
【００６２】
(照明部５８について)
前記照明部５８は、図５,図１４に示すように、非光透過性の前記パネル保持部材５９に配設されて前記透明パネル５７の光導入端面(外周端面)５７ａに対向する発光体基板７８と、該発光体基板７８に配設されて透明パネル５７の光導入端面(外周端面)５７ａに向けて光を照射するパネル発光体(発光手段)７９とを備えている。また、照明部５８は、パネル発光体７９から照射される光の直進性を高めるレンズ部材８０を備える。すなわち、前記照明部５８のパネル発光体７９を発光させることで、前記透明パネル５７に形成された図柄が浮き上がるように表示されて前側から視認可能となるよう構成される。
【００６３】
(発光体基板７８について)
前記照明部５８の発光体基板７８は、図５,図７,図８に示すように、前記透明パネル５７において左右方向に直線状に延在する光導入端面５７ａと対向する横長矩形状に形成され、実装面を下に向けた姿勢で前記パネル保持部材５９によって光導入端面５７ａに沿って延在するように保持されている。そして、発光体基板７８の下面(光導入端面５７ａと対向する面)に、透明パネル５７へ向けて光を個別に照射可能な前記パネル発光体７９が配設されている。なお、実施例では、パネル発光体７９として表面実装型のＬＥＤが設けられているが、これに限られるものではなく、従来公知の発光体を採用可能であることは当然である。
【００６４】
図７,図８に示す如く、前記発光体基板７８の左右方向の両端部に、前記パネル保持部材５９における前記後保持体６１の支持溝６５ｂに収容可能な位置決め端部７８ａが夫々設けられている。そして、両位置決め端部７８ａ,７８ａを対応する支持溝６５ｂ,６５ｂに収容すると共に、該発光体基板７８の後端部を後保持体６１の挟持部６５ｃ,６５ｃで挟持することで、後保持体６１に対して発光体基板７８が正しい位置および向きで取り付けられる。また、発光体基板７８の前端部には、前記前保持体６０の各位置決め片６３ｃと対応する位置に、位置決め凹部７８ｂが夫々設けられており、該発光体基板７８の前端部を前保持体６０の支持突部６３ａに載置した状態で、位置決め凹部７８ｂに位置決め片６３ｃを嵌めることで、前保持体６０に対して発光体基板７８が正しい位置および向きで取り付けられる。
【００６５】
(パネル発光体７９)
前記発光体基板７８には、図５に示すように、前記パネル発光体７９として、前記透明パネル５７の光導入端面５７ａに対向すると共に当該透明パネル５７に沿って直線状に列をなすよう配設された複数のパネル発光体７９が設けられている。そして、パネル発光体７９を発光することにより、前記表示装置１７の表示部１７ａの前側において透明パネル５７に形成された図柄が前側から視認可能に明輝される。具体的に、前記複数のパネル発光体７９は、前記発光体基板７８に対して、前記透明パネル５７の光導入端面５７ａに沿って一定間隔で離間するよう一列に設けられており、発光体基板７８に配設された複数のパネル発光体７９を同時に発光させて透明パネル５７に形成された図柄の全体を前側から視認可能に明輝させ得るようになっている。なお、発光体基板７８は、上面に設けられたコネクタ部７８ｃが、図示しない制御装置に電気的に接続されて、該制御装置によってパネル発光体７９が発光制御される。
【００６６】
(レンズ部材８０)
図５,図１４に示すように、前記照明部５８は、前記パネル発光体７９と透明パネル５７との間に、当該透明パネル５７の光導入端面５７ａに沿って延在するレンズ部材８０が配設されている。そして、パネル発光体７９から照射されてレンズ部材８０を透過した光が透明パネル５７の光導入端面５７ａから入射するようになっている。
【００６７】
前記レンズ部材８０は、図５,図７,図８に示すように、前記透明パネル５７側(実施例では下側)へ膨出する凸レンズ部８０ａが複数形成されている。すなわち、レンズ部材８０の下面は、パネル発光体７９の数だけ凸レンズ部８０ａが左右方向に連続した波形状に形成されて、該パネル発光体７９の光が対応する凸レンズ部８０ａを個別に透過するようになっている。すなわち、パネル発光体７９から照射される光を凸レンズ部８０ａに透過させることで、光の直進性を高めて、透明パネル５７において発光体基板７８から離間する端部まで光が届くよう構成されている。
【００６８】
図７,図８に示すように、前記レンズ部材８０には、左右両端部から外方へ突出する位置決め部８０ｂが夫々形成されており、該レンズ部材８０の位置決め部８０ｂを前記後保持体６１に設けた対応する凹部６４ｃに収容することで、当該レンズ部材８０の上面がパネル発光体７９の下方に対向すると共に、該レンズ部材８０の下面(凸レンズ部８０ａ)が透明パネル５７の光導入端面５７ａに対向する所定位置に位置決めされるようになっている。そして、前記後保持体６１に前保持体６０をネジ止め固定することで、両保持体６０,６１でレンズ部材８０が前後から挟持された状態で保持されるよう構成される(図１４参照)。
【００６９】
〔実施例の作用〕
次に、前述した実施例に係るパチンコ機１０の作用につき説明する。
【００７０】
実施例のパチンコ機１０は、前記遊技領域２３の内縁を画成する枠状装飾体３４に形成された開口部３４ａの開口内側にパネル発光装置５６が配設されて、図柄変動演出が行われる表示装置１７の表示部１７ａの前方に当該パネル発光装置５６が重なるよう構成されている。このパネル発光装置５６は、透明パネル５７が表示装置１７の表示部１７ａの前方に重なるように備えており、当該パネル発光装置５６のパネル発光体７９を発光することで、透明パネル５７に形成された図柄を明輝させて前側から視認し得るよう表示したり、パネル発光体７９を消灯することで、透明パネル５７に形成された図柄を前側から視認し得ないように非表示の状態にすることができる。すなわち、前記遊技盤２０に形成された遊技領域２３の内側で興趣のある発光演出を行うことができ、興趣を向上し得る。また、表示装置１７の表示部１７ａの前方にパネル発光装置５６を配置したことで、当該表示部１７ａでの表示内容に重ね合わせるように透明パネル５７に形成された図形を表示させて、意外性の高い発光演出を行うことができる。また、表示装置１７の表示部１７ａで行われる図柄変動演出とは表示方法が異なった見え方の違う透明パネル５７の図柄を図柄変動演出に重なり合わせることで、興趣のある遊技演出を実現できる。
【００７１】
実施例のパネル発光装置５６は、パネル発光体７９の列に対応してレンズ部材８０が配設されている。このレンズ部材８０には、図５に示す如く、前記透明パネル５７側に膨出する凸レンズ部８０ａが、パネル発光体７９の個々に対応して設けられているから、各パネル発光体７９を発光させた際に、レンズ部材８０を透過して透明パネル５７に入射される光の直進性を高めることができる。このため、透明パネル５７の上端部(外周端面)から内部に導入されたパネル発光体７９の光を、当該透明パネル５７の下端部側まで効果的に届かせることができ、透明パネル５７に形成された図柄全体を明瞭に明輝させて、図柄が浮き上がるように表示させることが可能になる。また、前記レンズ部材８０の凸レンズ部８０ａにより光の直進性を高めることで、当該透明パネル５７の図柄を形成する微少な凹凸に対して照射される光の強度を高めることができるから、透明パネル５７の図柄をより明瞭に明輝させて浮かび上がらせることができる。このため、透明パネル５７の後方側で重なった状態で行われる表示装置１７の演出と紛れにくい図柄を、パネル発光体７９の光により透明パネル５７に視認可能に表示させて遊技者に知覚させることができるから、パネル発光体７９に形成した図形の表示・非表示の切り替わりによる演出効果を高めることができる。
【００７２】
また、前記発光体基板７８を挟持する非光透過性のパネル保持部材５９によって、図１４に示す如く、前記透明パネル５７における光導入端面５７ａ側の端部を前後から覆うように構成したので、外部からの光が光導入端面５７ａに入射するのを防止することができ、意図しないときに透明パネル５７の図柄が表示されてしまうのを防止することができる。しかも、パネル保持部材５９に、パネル発光装置５６を枠状装飾体３４に取り付けるための上部固定部６６を設け、該パネル保持部材５９をパネル発光装置５６を枠状装飾体３４に取り付けるための部材としても機能させるよう構成したので、光導入端面５７ａに外部から光が入射するのを防止する部材を別途設ける必要はなく構成を簡単化し得る。
【００７３】
前記透明パネル５７を、前記後保持体６１の位置決め突部６４ａ,６４ａと透明パネル５７に形成した貫通孔５７ｃ,５７ｃとによって適正な関係に維持し得るパネル保持部材５９に、前記発光体基板７８を前後の保持体６０,６１に設けた支持突部６３ａ、突片６３ｂ、位置決め片６３ｃ、支持溝６５ｂ、挟持部６５ｃによって位置決め保持するよう構成したので、透明パネル５７の光導入端面５７ａに対してパネル発光体８９を適正な位置に安定して保持することができる。また、パネル保持部材５９に、前記レンズ部材８０を前後の保持体６０,６１に設けた支持突部６３ａ、規制突部６４b、凹部６４ｃによって位置決め保持するよう構成したので、透明パネル５７の光導入端面５７ａおよびパネル発光体８９に対してレンズ部材８０を適正な位置に安定して保持することができる。
【００７４】
実施例のパチンコ機１０では、前記操作ハンドル１６の操作レバー１６ａを遊技者が回転操作すると、前記打球発射装置から発射されたパチンコ球が前記遊技盤２０に設けた遊技領域２３内に打ち出される。遊技領域２３内に打ち出されたパチンコ球が第１球流下経路２３ａを流下し、該パチンコ球が前記球導入部４４の球入口４５ａに通入すると、該パチンコ球は遊技盤２０の前面より後側に位置する前記球通路部４７ｃを移動し、該球通路部４７ｃの球出口４６ｂから前記ステージ４１における球転動部４２ａ上に通出される。このパチンコ球は、球転動部４２ａを左右方向に移動した後に、前記支持縁部４０の排出部４０ａから前記始動入賞部３１が配設されている遊技領域２３に排出される。そして、遊技領域２３に排出されたパチンコ球が始動入賞部３１に入賞すると、前記表示装置１７の表示部１７ａで図柄変動演出が実行される。そして、表示装置１７での図柄変動演出の結果、該表示装置１７の表示部１７ａに所定の図柄組み合わせで図柄が停止表示されることで所謂「大当り」が発生(遊技者にとって有利な状態が発生)し、これにより特別入賞部３２へのパチンコ球の入賞が許容される大当り遊技が付与されて多数の賞球を獲得し得るようになる。
【００７５】
ここで、前記ステージ４１から遊技領域２３に排出されるパチンコ球は、前記ステージ４１に通入することなく遊技領域２３(第１球流下経路２３ａ)を流下するパチンコ球に比べ、前記始動入賞部３１への入賞率が高くなるよう構成されている。すなわち、遊技者は、遊技領域２３を流下するパチンコ球が、前記球導入部４４を介してステージ４１に通入することを期待して遊技を行っている。
【００７６】
実施例のパチンコ機１０では、前記球導入部４４を構成する第１導入部材４５が遊技盤２０の前面より前側に突出して、該第１導入部材４５の球入口４５ａに通入したパチンコ球をステージ４１に案内する球通路部４７ｃを、遊技盤２０の前面より後側に偏倚した位置に設けている。これにより、第１導入部材４５の配設位置より下側においては、球導入部４４を経ることなく遊技領域２３からステージ４１にパチンコ球が直接飛び込み易く構成されている。また、図２に示す如く、前記上案内連釘５２は、前記ステージ４１の下側前部に位置する前記台板部３７(支持縁部４０)の端縁に近接して延在するように配設されているので、前記球導入部４４の球入口４５ａに通入することなく第１球流下経路２３ａを流下して上案内連釘５２に至ったパチンコ球は、該上案内連釘５２で跳ねて前記受入口部４１ａからステージ４１に飛び込み易くなっている。すなわち、実施例のパチンコ機１０は、遊技領域２３を流下するパチンコ球が球導入部４４に通入しない場合であっても、該遊技領域２３からパチンコ球がステージ４１に飛び込み易い構造になっているので、パチンコ球の動きに対する遊技者の関心を高めて遊技の興趣を向上し得る。
【００７７】
前述したように、前記遊技領域２３からパチンコ球がステージ４１に飛び込み易い構成では、前記上案内連釘５２で跳ねたパチンコ球が、ステージ４１を越えて表示装置１７側へ入ってしまうおそれがある。しかしながら、実施例のパチンコ機１０では、前記ステージ４１の受入口部４１ａを画成する天井壁４３ｂや前記球導入部４４の天井壁４７ｂで画成される設置開口の全体が、前記パネル発光装置５６の透明パネル５７で塞がれているので(図４,図５参照)、パチンコ球がステージ４１の後方へ移動するのを透明パネル５７で規制することができる。しかも、透明パネル５７は、単にパチンコ球がステージ後方へ移動するのを規制する機能だけでなく、前述したように図柄を表示する演出を行うものであるので、パチンコ球がステージ後方へ移動するのを防止するための専用の部材を設ける場合に比べ、構成を簡略化し得ると共にコストを低減し得る。
【００７８】
また、前記透明パネル５７は、前記ステージ４１の受入口部４１ａを画成する天井壁４３ｂの上端から上方に延在しているので、前記上案内連釘５２で跳ねたパチンコ球が、該天井壁４３ｂより高く跳ね上がったとしても、該パチンコ球がステージ４１の後方へ移動するのを該透明パネル５７によって確実に防止することができる。また、透明パネル５７の前面は、図１４に示す如く、天井壁４３ｂの前端に略揃う位置に位置決めされているので、透明パネル５７の前側において天井壁４３ｂの上面にパチンコ球が載ってしまうのを防止し得る。
【００７９】
前記透明パネル５７は、前記枠状装飾体３４の支持縁部４０に設けられた第１被固定部４８および前記第３導入部材４７の後壁部４７ａに設けられて第１被固定部４８から後方に離間位置する第２被固定部５０とに、対応する第１固定部材６７および第２固定部材６８を固定することで、該透明パネル５７の前面が前記天井壁４３ｂの前端に略揃う位置に位置決めされる(図１１参照)。すなわち、遊技領域２３からパチンコ球がステージ４１に飛び込み易くするために、遊技盤２０の前面より後方に設けた第３導入部材４７の後壁部４７ａに第２被固定部５０を設けた場合であっても、透明パネル５７に配設される第１固定部材６７(具体的には第１固定突部７２)および第２固定部材６８(具体的には第２固定突部７７)の前後方向の長さ寸法を異ならせているので、枠状装飾体３４に突出長の異なる被固定部を設ける必要はなく、コスト低減に寄与し得る。
【００８０】
また、前記第１被固定部４８および第２被固定部５０は、ステージ４１を左右方向で挟む位置に設けられて、第１被固定部４８がステージ４１の右端に近接すると共に、第２被固定部５０がステージ４１の左端に近接している。すなわち、前記透明パネル５７の下部におけるステージ４１を挟む両側で、該透明パネル５７を枠状装飾体３４に固定しているので、遊技領域２３から開口部３４ａ側に飛び込むパチンコ球が透明パネル５７に当っても、該透明パネル５７が位置ずれするのは防止され、前記照明部５８により透明パネル５７に形成された図柄を明輝させて前側から視認し得るように表示する演出に支障を来たすのは防止される。言い替えると、第１被固定部４８と前後方向で同じ位置に第２被固定部５０を設けるために、該第２被固定部５０を第３導入部材４７を避けた位置に設けると、該第２被固定部５０と第１被固定部４８とが離間して透明パネル５７の下部側(ステージ４１側)を安定して保持することができなくなるが、実施例のパチンコ機１０ではこのような問題が生ずるのを防ぐことができる。
【００８１】
実施例では、枠状装飾体３４に配設される透明パネル５７(パネル発光装置５６)の該枠状装飾体３４に対する固定部は、前記電飾役物５４、装飾部品、球導入部４４によって前側に露出しないように構成されているので、該固定部が透明パネル５７で行われる図柄を表示する演出を阻害することはなく、演出効果を向上し得る。また、透明パネル５７は、枠状装飾体３４に対して裏側から固定されているので、該透明パネル５７の前面にパチンコ球が衝突した衝撃によって固定部が弛むのは抑制され、透明パネル５７を適正な位置に保持し得る。
【００８２】
(変更例)
本願は前述した実施例の構成に限定されるものではなく、その他の構成を適宜に採用することができる。
(1) 実施例では、パネル発光装置に配設される透明パネルが１枚の場合で説明したが、複数枚の透明パネルを前後に重なるように配設する構成を採用することができ、このように透明パネルを複数枚とする構成では、各透明パネルに対応して発光体基板に配設する発光体(発光手段)の列数やレンズ部材の配設数を設定すればよい。なお、複数枚の透明パネルを前後方向に重ねる場合は、各透明パネルにおける光導入端面側の端部間に、非光透過性の遮光部材を配設し、各透明パネルに対応する発光手段を発光した際に、対応しない透明パネルの光導入端面に光が入射しないようにすることが推奨される。
(2) 実施例では、透明パネルの上端部に沿って延在するよう発光体基板(発光手段)を配設したが、当該透明パネルの左右側端部に沿って延在するよう発光体基板(発光手段)を設けるようにしてもよい。また、発光体基板が対向する透明パネルの端部(外周端面)は直線状に延在させる必要はなく、当該端部(外周端面)を曲線状に形成することもできる。例えば、発光体基板として厚み方向に可撓変形可能なフレキシブル基板を採用して、曲線状に形成した透明パネルの端部(外周端面)に沿って延在するよう発光体基板を配設することが可能である。
(3) 実施例では、枠状装飾体に透明パネルを固定する固定部材(第１固定部材および第２固定部材)を、透明パネルを前後で挟む固定具と支持具とで構成したが、透明パネルに対する固定部と被固定部に対する固定部(固定突部)とを備える単一の部材で構成されたものであってもよい。
(4) 実施例では、ステージを２つのステージ部材から構成し、第１ステージ部材の球転動部を移動するパチンコ球の後方への移動を第２ステージ部材によって防止するよう構成したが、ステージを第１ステージ部材のみから構成し、該第１ステージ部材の後端まで透明パネルを延在するよう構成して、球転動部を移動するパチンコ球の後方への移動も透明パネルで規制する構成を採用し得る。
【００８３】
(5) ステージを構成する天井壁は、後端から前端に向かうにつれて下方傾斜するよう構成し、該天井壁にパチンコ球が載った場合であっても該パチンコ球が前側に転がり落ちる構成を採用し得る。
(6) 実施例では、ステージと球導入部とを別部材で構成したが、同一部材で構成することができ、該ステージと球導入部とを構成する部材における枠状装飾体の開口部を画成する天井壁に対して、透明パネルの端縁部が近接するように位置することで、枠状装飾体の開口部の全体を該透明パネルで塞ぐ構成を採用し得る。
(7) 実施例では、枠状装飾体にステージ部材や導入部材を取り付けることでステージおよび球導入部が形成されるよう構成したが、枠状装飾体に一体的にステージおよび導入部材を形成するものであってもよい。
(8) 実施例では、枠状装飾体とパネル発光装置(パネル保持部材)との固定部を、電飾役物で前側から覆う(隠す)よう構成したが、枠状装飾体とパネル発光装置(パネル保持部材)との固定部を隠す部材は、発光演出を行わない装飾部材であってもよい。
(9) 遊技機としては、パチンコ機に限られるものではなく、アレンジボール機やパチンコ球を用いたスロットマシン等、その他各種の遊技機であってもよい。
【符号の説明】
【００８４】
１７ 表示装置
１７ａ 表示部
２０ 遊技盤
２３ 遊技領域
３４ 枠状装飾体
３４ａ 開口部
４１ ステージ
４１ａ 受入口部
４２ａ 球転動部
４３ｂ 天井壁
４４ 球導入部
４５ａ 球入口
４６ｂ 球出口
４６ｃ 球通路部
４７ａ 後壁部
４８ 第１被固定部
５０ 第２被固定部
５７ 透明パネル
５９ パネル保持部材(保持部材)
６６ 上部固定部(固定部)
６７ 第１固定部材(固定部材)
６８ 第２固定部材(固定部材)
【図１】
2016202333.tif 000003
【図２】
2016202333.tif 000004
【図３】
2016202333.tif 000005
【図４】
2016202333.tif 000006
【図５】
2016202333.tif 000007
【図６】
2016202333.tif 000008
【図７】
2016202333.tif 000009
【図８】
2016202333.tif 000010
【図９】
2016202333.tif 000011
【図１０】
2016202333.tif 000012
【図１１】
2016202333.tif 000013
【図１２】
2016202333.tif 000014
【図１３】
2016202333.tif 000015
【図１４】
2016202333.tif 000016